(57)【特許請求の範囲】
【請求項１】
利用者が所持する非接触情報記憶媒体と、前記利用者が居住する建物に設けられ、前記非接触情報記憶媒体の個別ＩＤを読み取る読取手段を介して読取り、かつ個別ＩＤにゲートの通過時間を紐付してゲート通過情報を配信サーバに送信する電気錠制御装置と、前記配信サーバからインターネットを介して前記ゲート通過情報を受信するスマートフォン、フィーチャーフォン等の送信先端末装置とから成る通知システムであって、
前記配信サーバは、前記電気錠制御装置から前記ゲート通過情報を受信すると、通知先である前記送信先端末装置にリアルタイムに該ゲート通過情報を垂れ流しするプッシュ配信コントローラを有し、一方、前記送信先端末装置は、前記ゲート通過情報を受信すると、該送信先端末装置の専用アプリケーションのデータ領域に当該ゲート通過情報を次々と蓄積する蓄積手段を有し、前記専用アプリケーションは、少なくとも前記個別ＩＤに対応する利用者のゲート通過情報を簡略的に特定するインスタントメーセージを該送信先端末装置の表示画面に表示することを特徴とする通知システム。
【請求項２】
請求項１に於いて、前記電気錠制御装置は、専用ゲートに設けられた電気錠の施・解錠時間或いは専用ゲートの開閉時間と、所定時間内に読取手段で読取った個別ＩＤの応答時間とを比較して利用者の通過する方向を判断し、前記個別ＩＤの応答時間が前記電気錠の施・解錠時間或いは専用ゲートの開閉時間よりも先行する時、「前記建物の専有部に戻った情報」としてゲート通過情報を送信することを特徴とする通知システム。
【請求項３】
請求項１に於いて、前記電気錠制御装置は、専用ゲートに設けられた電気錠の施・解錠時間或いは専用ゲートの開閉時間と、所定時間内に読取手段で読取った個別ＩＤの応答時間とを比較して利用者の通過する方向を判断し、前記個別ＩＤの応答時間が前記電気錠の施・解錠時間或いは専用ゲートの開閉時間よりも後行する時、「前記建物の専有部から出た情報」としてゲート通過情報を送信することを特徴とする通知システム。
【請求項４】
建物の共用部の所定領域で利用者を検知する人検知手段と、前記人検知手段の検出信号に基づき、前記利用者の「顔」や「姿」をカメラで撮る姿態情報取得手段と、前記姿態情報取得手段で取得した姿態情報と、顔や姿の特徴をＩＤの如く識別情報として予め記憶部に記録した登録情報とが一致するか否かを判断する認証手段と、前記認証手段が姿態情報と登録情報とが一致すると認証すると、当該姿態情報を個別ＩＤとして特定し、該個別ＩＤにゲートの通過時間を紐付してゲート通過情報を配信サーバに送信する電気錠制御装置と、前記配信サーバからインターネットを介して前記ゲート通過情報を受信するスマートフォン、フィーチャーフォン等の送信先端末装置とから成る通知システムであって、
前記配信サーバは、前記電気錠制御装置から前記ゲート通過情報を受信すると、通知先である前記送信先端末装置にリアルタイムに該ゲート通過情報を垂れ流しするプッシュ配信コントローラを有し、一方、前記送信先端末装置は、前記ゲート通過情報を受信すると、該送信先端末装置の専用アプリケーションのデータ領域に当該ゲート通過情報を次々と蓄積する蓄積手段を有し、前記専用アプリケーションは、少なくとも前記個別ＩＤに対応する利用者のゲート通過情報を簡略的に特定するインスタントメーセージを該送信先端末装置の表示画面に表示することを特徴とする通知システム。
【発明の詳細な説明】
【技術分野】
【０００１】
本発明は、居住者（例えば子供）の帰宅又は外出或いは帰宅と外出の両方を、外出中の端末装置の所持者（例えば母親）に通知することができる通知システムに関する。望ましくは、配信サーバから居住者（例えば子供）の帰宅情報等を貰った外出中の端末装置が、ＬＩＮＥ（登録商標、スマートフォン、フィーチャーフォン等で利用できるアプリケーション）と同様の所定のアフリケーションを有する通知システムに関し、前記外出中の端末装置を所持する者（例えば母親）が好きな時に該端末装置をタッチ操作して居住者（例えば子供）の帰宅情報等を見ることができる通知システムに関する。
【背景技術】
【０００２】
特許文献１は出願人が提案したものである。この特許文献１の発明の課題は、利用者毎に設定された外出通知先へ外出情報の通知が行えることである。この課題の解決手段として、電気錠装置２０は、個別ＩＤキー１０を用いて電気錠の施解錠を行う際に、その個別ＩＤキー１０から利用者を識別するための個別ＩＤと施解錠情報とを読み取り、読み取った施解錠情報を正常認証したときのみ現在の錠前の施解錠状態、扉の開閉状態に応じて電気錠２３を電気的に施錠制御し、外出により電気錠が施錠された時には、個別ＩＤキー１０から読み取った個別ＩＤと施錠時間を含む外出情報をサーバ３０に出力し、前記サーバ３０は、電気錠装置２０から外出情報が入力されたときに、この外出情報の個別ＩＤに対応する通知先情報を検索し、検索された通知先情報に基づく通知対象物４０に外出情報を通知する（符号は特許文献のもの）。
【０００３】
特許文献１のサーバ３０は、住戸用サーバ３１と管理用サーバとで構成されているものの（段落００２０〜段落００２２）、該サーバ３０は、本願発明の如く、通知対象物４０（送信先端末装置）にリアルタイムに該ゲート通過情報を垂れ流しするプッシュ配信コントローラを有するか否か不明である。また通知対象物４０は個別ＩＤキー１０から読み取った個別ＩＤと施錠時間を含む外出情報をサーバ３０に出力するものであり、さらにサーバ３０は、受信した外出情報を、インターネットを介して通知対象物４０（例えば携帯電話）にメール通知をするものであり（段落００２６）、本願発明の如く、通知対象物（例えばスマートフォン、フィーチャーフォン等の送信先端末装置）が、個別ＩＤに対応する利用者とゲート通過時間を簡略的に特定するインスタントメーセージを作成し、かつ該送信先端末装置の表示画面に表示する専用のアプリケーションを有するものではない。
【０００４】
そこで、現在、スマートフォン、フィーチャーフォン等の送信先端末装置が、配信サーバから居住者（例えば子供）の帰宅情報等をリアルタイムに受信し、受信した帰宅情報等をそのまま該送信先端末装置が専用のアプリケーション（例えば帰宅通知の専用アプリ、外出通知の専用アプリ、帰宅通知及び外出通知の専用アプリ）のデータ領域に蓄積し、例えば勤務先にいる母親が居住者（例えば子供）の帰宅情報等を知りたいときは、該送信先端末装置の表示画面にタッチ操作して、個別ＩＤに対応する利用者とゲート通過時間を簡略的に特定するインスタントメーセージを見ることができる通知システムの出現が期待されている。
【０００５】
なお、特許文献２は帰宅通知手段を備える通知システムであるが、該特許文献２も特許文献１と同様に帰宅通知手段２５で宅外の携帯電話８ＡにＥメール通知する、又はＷｅｂ画面上から通知内容を確認する、或いはプル通信するものである（符号は特許文献２のもの）。
【０００６】
また特許文献３は、プッシュ配信システムに関するものであり、該プッシュ配信システムの一般的な事項は、例えば段落０００５に記載されている。
【先行技術文献】
【特許文献】
【０００７】
【特許文献１】特開２００９−２０１７号公報
【特許文献２】特開２００６−２２７８６０号公報
【特許文献３】特開２００５−１６５６９７号公報
【発明の概要】
【発明が解決しようとする課題】
【０００８】
本願発明の主たる目的は、配信サーバから居住者（例えば子供）の帰宅情報等をリアルタイムに受信し、受信した帰宅情報等をそのまま該送信先端末装置が専用のアプリケーション（例えば帰宅通知の専用アプリ、外出通知の専用アプリ、帰宅通知及び外出通知の専用アプリ）のデータ領域に蓄積し、例えば勤務先にいる母親が居住者（例えば子供）の帰宅情報等を知りたいとき（自由に見たいとき）は、該送信先端末装置の表示画面にタッチ操作して、個別ＩＤに対応する利用者とゲート通過時間を簡略的に特定する情報を見ることができる通知システムを提案することである。付言すると、管理サーバに対するプル通信やＷｅｂ画面上から通知内容を確認する等の手間を省くことができることである。
第２の目的は、専用のアプリケーションにより、ゲート通過する居住者（例えば子供）の顔、イラスト、図形等の意匠や名前（例えば、一郎、花子）と共に通過時間（例えば、ただいまー１２：３０）を一目で知ることができることである。第３の目的は、ゲート通過する居住者（例えば子供）が帰宅か、それとも外出かを確実な情報として知ることができることである。さらには、スマートフォン、フィーチャーフォン等の送信先端末装置は、「所定のソフト」を利用して、学校や塾と連絡を取ることができることである。
【課題を解決するための手段】
【０００９】
本発明の通知システムは、利用者が所持する非接触情報記憶媒体と、前記利用者が居住する建物に設けられ、前記非接触情報記憶媒体の個別ＩＤを読み取る読取手段を介して読取り、かつ個別ＩＤにゲートの通過時間を紐付してゲート通過情報を配信サーバに送信する電気錠制御装置と、前記配信サーバからインターネットを介して前記ゲート通過情報を受信するスマートフォン、フィーチャーフォン等の送信先端末装置とから成る通知システムであって、前記配信サーバは、前記電気錠制御装置から前記ゲート通過情報を受信すると、通知先である前記送信先端末装置にリアルタイムに該ゲート通過情報を垂れ流しするプッシュ配信コントローラを有し、一方、前記送信先端末装置は、前記ゲート通過情報を受信すると、該送信先端末装置の専用アプリケーションのデータ領域に当該ゲート通過情報を次々と蓄積する蓄積手段を有し、前記専用アプリケーションは、少なくとも前記個別ＩＤに対応する利用者のゲート通過情報を簡略的に特定するインスタントメーセージを該送信先端末装置の表示画面に表示することを特徴とする。
【００１０】
上記構成に於いて、前記電気錠制御装置は、専用ゲートに設けられた電気錠の施・解錠時間或いは専用ゲートの開閉時間と、所定時間内に読取手段で読取った個別ＩＤの応答時間とを比較して利用者の通過する方向を判断し、前記個別ＩＤの応答時間が前記電気錠の施・解錠時間或いは専用ゲートの開閉時間よりも先行する時、「前記建物の専有部に戻った情報」としてゲート通過情報を送信することを特徴とする。また前記電気錠制御装置は、専用ゲートに設けられた電気錠の施・解錠時間或いは専用ゲートの開閉時間と、所定時間内に読取手段で読取った個別ＩＤの応答時間とを比較して利用者の通過する方向を判断し、前記個別ＩＤの応答時間が前記電気錠の施・解錠時間或いは専用ゲートの開閉時間よりも後行する時、「前記建物の専有部から出た情報」としてゲート通過情報を送信することを特徴とする。
【００１１】
さらに、本発明の通知システムは、建物の共用部の所定領域で利用者を検知する人検知手段と、前記人検知手段の検出信号に基づき、前記利用者の「顔」や「姿」をカメラで撮る姿態情報取得手段と、前記姿態情報取得手段で取得した姿態情報と、顔や姿の特徴をＩＤの如く識別情報として予め記憶部に記録した登録情報とが一致するか否かを判断する認証手段と、前記認証手段が姿態情報と登録情報とが一致すると認証すると、当該姿態情報を個別ＩＤとして特定し、該個別ＩＤにゲートの通過時間を紐付してゲート通過情報を配信サーバに送信する電気錠制御装置と、前記配信サーバからインターネットを介して前記ゲート通過情報を受信するスマートフォン、フィーチャーフォン等の送信先端末装置とから成る通知システムであって、前記配信サーバは、前記電気錠制御装置から前記ゲート通過情報を受信すると、通知先である前記送信先端末装置にリアルタイムに該ゲート通過情報を垂れ流しするプッシュ配信コントローラを有し、一方、前記送信先端末装置は、前記ゲート通過情報を受信すると、該送信先端末装置の専用アプリケーションのデータ領域に当該ゲート通過情報を次々と蓄積する蓄積手段を有し、前記専用アプリケーションは、少なくとも前記個別ＩＤに対応する利用者のゲート通過情報を簡略的に特定するインスタントメーセージを該送信先端末装置の表示画面に表示することを特徴とする。
【００１２】
なお、ゲートは、例えばマンションのエントランス又は利用者の専用ゲートのいずれかであり、読取手段は、例えば前記エントランス、通路、利用者の専用ゲートの外壁面のいずれかに配設されている。
【発明の効果】
【００１３】
（ａ）請求項１及び請求項４に記載の発明は、宅外で送信先端末装置を所持する者（例えば母親）は、例えば子供が帰宅したか否かを、好きな時間に見ることができる。付言すると、送信先端末装置を所持する者は管理サーバに対するプル通信やＷｅｂ画面上から通知内容を確認する等の手間を省くことができる。また配信サーバは、必ずしも膨大な情報を保存する必要がない、宅外の送信先端末装置はリアルタイムに帰宅情報を蓄積することができる、送信先端末装置の表示画面に表示されている帰宅情報を、いわゆるプレゼンの如く一瞥して見ることができる等の効果がある。
（ｂ）請求項２や請求項３に記載の発明は、帰宅か否か、それとも外出か否か、確実な情報を得ることができる。
【図面の簡単な説明】
【００１４】
図１乃至図９は本発明の第１実施形態を示す各説明図、図１０及び図１１は本発明の第２実施形態を示す各説明図、図１２は本発明の第３実施形態を示す説明図、図１３乃至図１６は本発明の第４実施形態を示す各説明図。
【図１】第１実施形態の全体構成を示す説明図。
【図２】非接触情報記憶媒体（応答器）と読取手段（質問器）の構成を示すブロック図。
【図３】送信元制御手段の構成を示すブロック図。
【図４】ゲート通過情報の構造を示す説明図。
【図５】配信サーバの説明図。
【図６】送信先端末装置の主な構成を示す概略説明図。
【図７】送信先端末装置の専用アプリケーションの流れを示す説明図。
【図８】表示画面（帰宅メッセージの表示例）を示す説明図。
【図９】第１実施形態のフローチャート。
【図１０】第２実施形態の全体構成を示す説明図。
【図１１】表示画面（外出メッセージの表示例）を示す説明図。
【図１２】第１実施形態と第２実施形態を組み合わせた場合の表示画面（帰宅と外出の両方を含むメッセージの表示例）を示す第３実施形態の説明図。
【図１３】第４実施形態の全体構成を示す説明図。
【図１４】（ａ）、（Ｂ）は、それぞれ姿態情報取得手段及び送信元制御手段の配設場所を示す説明図。
【図１５】姿態情報取得手段及び送信元制御手段のブロック図。
【図１６】第４実施形態のフローチャート。
【発明を実施するための最良の形態】
【００１５】
（１）全体構成の概要
図１乃至図９は、本発明の一実施形態の通知システムである。図１は帰宅通知システムＸの第１実施形態である。まず、図１を参照にして全体構成を簡単に説明する。１は建物の一例としてのマンションのエントランスに設けられた共用ゲート、一方、２は建物の専有部の出入り口としての専用ゲート（玄関扉）である。３は個別ＩＤを記憶する非接触情報記憶媒体（応答器）で、建物に居住する利用者４は、例えば学校、塾等から帰ると、該非接触情報記憶媒体３を所持しながら、共用ゲート１、通路５、専用ゲート２をそれぞれ通過して自己の専有部（自宅）に入る。
【００１６】
実施形態では、共用ゲート１、通路５（壁も含む）、専用ゲート２の付近、専用ゲート２等に単数又は複数の読取手段（質問器）６を配設してある。この読取手段６と別体又は一体的に設けられた送信元制御手段７は、前記共用ゲート１、通路５（壁も含む）、専用ゲート２の付近、専用ゲート２等のいずれかに適宜配設されている。実施形態では、送信元制御手段７は、望ましくは電気錠制御装置なので、該送信元制御手段７の一例としての電気錠制御装置は、専用ゲート２の適宜箇所又は専用ゲート２の付近に設けられている。なお、送信元制御手段７の設置場所は発明の本質的事項ではない。また読取手段６と送信元制御手段７が一体であるか否かも発明の本質的事項ではない。
【００１７】
次に、８は配信サーバで、この配信サーバ８は、例えば建物が複数の棟から構成されている一団地である場合には、団地の管理事務所に配設され、或いは実施形態如何によってはインターネット９を介して適宜場所（サーバを管理する場所）に配設され、送信元制御手段７から個別ＩＤ（鍵データ）にゲートの通過時間（望ましくは専用ゲートの開扉時刻）が紐付されたゲート通過情報ａを受信すると、帰宅情報の通知先である送信先端末装置１０にリアルタイムに該ゲート通過情報ａを垂れ流しするプッシュ配信コントローラ４８を有する。
【００１８】
最後に、１０は前記配信サーバ８からインターネット９を介して前記ゲート通過情報ａを受信すると、帰宅情報に関する専用アプリケーションのデータ領域に当該ゲート通過情報を次々と蓄積する送信先端末装置である。この送信先端末装置１０は、例えば勤務先で仕事をしている親（例えば母親）１１が所持するスマートフォン、フィーチャーフォン等であり、その中に帰宅情報に関する専用アプリケーションのデータ領域に当該ゲート通過情報ａを次々と蓄積する蓄積手段５２を有する。
【００１９】
（２）非接触情報記憶媒体（応答器）と読取手段（質問器）
図２は個別ＩＤを有する応答器（タグ）３と質問器６のブロック図である。応答器３は、例えば質問器６からの狭い範囲（例えば２メートル以内）の送信電波を、送受信アンテナ（受信の場合にはＬＦ受信部）１２を介して受信すると、該送信電波による誘導電磁界によって誘起する起電力により動作電源を作り、その電源により動作して予めメモリ（記憶部）１６に記憶している識別情報を送受信アンテナ（送信の場合にはＲＦ送信部）１２から送信する。一方、質問器６は応答器３を動作させるための電波を送信すると共に、応答器３から送信される識別情報を受信して、図３で示す送信元制御手段７へ出力する。
【００２０】
そこで、まず、図２の上側の応答器３の構成を説明する。応答器３には、送受信アンテナ１２、カード電源部１３、変復調部１４、制御部１５、記憶部１６及びＩ／Ｏ変換部１７が設けられている。送受信アンテナ１２には、アンテナを含むＲＦ送信部とコイルを含むＬＦ受信部から成り、電波の送受信に使用される。カード電源部１３は送受信アンテナ１２にて受信されたＦＳＫ（周波数シフトキーイング）信号を整流して、各部を動作させる電源電圧を作り出す。また変復調部１４は、送受信アンテナ１２にて受信されたＦＳＫ信号から直列データを復調するとともに、記憶部（ＲＯＭ）１６から読み出されたデータ（識別情報）をＦＳＫ信号に変調する。Ｉ／Ｏ変換部１７は、変復調部１４からの直列データを並列データに変換して制御部１５に出力するとともに、制御部１５からの並列データを直列データに変換して変復調部１４に出力する。制御部１５は、データ変換された受信信号からコマンドを解読し、記憶部１６に対するデータの書き込みまたは読み出しを行なう。この場合、応答器３の通常の使用におけるコマンドはリードコマンドであり、このリードコマンドに基づいて記憶部１６から識別情報（個別ＩＤ）の読み出しが行なわれる。
【００２１】
次に、図２の下側の質問器６の構成を説明する。質問器６に判定手段（認証機能）を持たせても良いが、実施形態では、後述する送信元制御手段７が認証手段を有しているので、本実施形態の質問器６は、利用者４の個別ＩＤを、送信元制御手段７に送信する仲介装置の役割を果たしている。前述したように、質問器６は送信元制御手段７と別体又は一体的に設けても良いことから、実施形態のように送信元制御手段７で識別情報を判定するのではなく、質問器６で個別ＩＤを判定しても実質的には同一である。
【００２２】
さて、質問器６には、送受信アンテナ２２、増幅・検波部２３、信号出力用Ｉ／Ｏ変換部２４、信号入力用Ｉ／Ｏ変換部２８、変調部２５、発振部２６及び電力増幅部２７が設けられている。送受信アンテナ２２はアンテナを含むＲＦ受信部とコイルを含むＬＦ送信部から成り、電波の送受信に使用される。増幅・検波部２３は、送受信アンテナ１２にて受信されたＦＳＫ信号を増幅して直列データを復調する。Ｉ／Ｏ変換部２４は、増幅・検波部２３からの直列データを並列データに変換して送信元制御手段７へ出力する。Ｉ／Ｏ変換部２８は、送信元制御手段７からの並列データを直列データに変換して変調部２５に出力する。変調部２５は、Ｉ／Ｏ変換部２８からの直列データを発振部２６からの周波数ｆ１、ｆ２の２つの信号に基づいてＦＳＫ変調し、電力増幅部２７に出力する。この場合、変調部２５はデータビット「０」に対して周波数ｆ１の信号を、データビット「１」に対して周波数ｆ２の信号をそれぞれ定めており、データビット毎に周波数ｆ１、ｆ２の信号に変換するＦＳＫ変調を行なう。電源部２９と電線を介して接続する電力増幅部２７は変調部２５からのＦＳＫ信号を電力増幅して送受信アンテナ２２に出力する。なお、説明の便宜上、電源部２９を質問器６に示したが、実施形態では、前記電力増幅部２７にて使用される電源電圧は送信元制御手段７より供給される。
【００２３】
ところで、実施形態の非接触情報記憶媒体３は、無線型の施・解錠用キー（出願人が製造・販売する登録商標としてのノンタッチキー）を使用しているが、タッチ型のカードキー、タグ機能を有する携帯端末等を用いても良い。
【００２４】
（３）送信元制御手段
図３は読取手段（質問器）６を含む送信元制御手段７のブロック図である。送信元制御装置７は、ベルサアクセスコントローラ（登録商標）と称され、出願人が製造・販売するものである。図３に於いて、実施形態では、質問器６は共用ゲート１、通路５、専用ゲート２の付近に配設され、一方、送信元制御装置７は専用ゲート２に配設されている。
【００２５】
しかして、３１は質問器６が応答器３から電波により取得した個別ＩＤ（鍵データ）等の情報を処理する制御部、３２は前記個別ＩＤ等の情報を認証及び判定する認証手段、３３は認証手段が判定した結果を日時と関連付けて記憶手段３４に登録する入退出登録手段、３５はタイマー、３６は記憶手段３４に登録されたゲート通過情報（ゲート履歴）を入出力部３７に出力する前に、個別ＩＤ、送信元制御装置７の識別番号、ゲート番号、施・解錠又はゲートの開閉状態等を紐付する送信ルール設定手段としての自動送信手段、３９は電気錠、４０は送信元制御装置７をＬＡＮ構成するためのルータ、４１は個別ＩＤ等の抹消、入力等に用いられる設定入力用外部端末である。付言すると、送信元制御装置７は、専用ゲート２への出入を許可する登録情報（例えば応答器の識別番号としての個別ＩＤ、ゲート識別番号、錠前の識別番号など）、ハンドルの操作、専用ゲートの開閉などのゲートの状態情報を一括管理し、建物の全体又は一部を監視する。
【００２６】
そして、第１実施形態では、送信元制御手段７は電気錠制御装置であり、該電気錠制御装置は、専用ゲート２に設けられた電気錠の施・解錠時間或いは専用ゲートの開閉時間と、所定時間内に読取手段（質問器）６で読取った個別ＩＤ（例えば子供の識別情報）の応答時間とを比較して利用者４の通過する方向を判断し、前記個別ＩＤの応答時間が前記電気錠の施・解錠時間或いは専用ゲート２の開閉時間よりも先行する時、「帰宅情報」としてゲート通過情報ａを配信サーバ８に送信する。
【００２７】
ところで、送信元制御装置７の記憶部３４のデータと自動送信の内容は、図４に示す通りである。したがって、記憶部３４には送信の内容に適合する各データが格納されている。また記憶部３４には、情報を処理するための実行プログラムが格納されている。
図４に示すゲート通過情報ａには、例えば夫、妻、子供等の居住者を識別する個別ＩＤ（鍵データ）、ゲート番号、入室時刻、解錠状態、専用ゲートの開状態、送信元制御装置７の識別番号等の各情報が適宜に関連付けられている。
【００２８】
したがって、自動送信手段３６は、個別ＩＤ（鍵データ）、ゲート番号、入室時刻、専用ゲート２の開扉時刻及び送信元制御装置７の識別番号を紐付し、該紐付された情報は「ゲート通過情報ａ」として、入出力部３７、ルータ４０を介して配信サーバ８に自動送信される。なお、実施形態によっては、ゲート通過情報ａはインターネット９を介して配信サーバ８に自動送信される。また、建物の専有部又は共用部分２のいずれかに配設された送信元制御装置７は、建物の規模に対応して多数となるので、多数の実施形態の場合には、送信元制御装置７は、順番にぐるぐるとスイッチ機能を果たすスイッチングハブに接続し、かつ、ルータ４０（ＬＡＮを構成している）を介してインターネット９に接続している。
【００２９】
（４）配信サーバ
図５は配信サーバ８とインターネット９と送信先端末装置１０の結び付きを概念図で示したものである。配信サーバ８の構成は、特許文献３（特開２００５−１６５６９７号公報）、特開２００２−１８９６７５号公報等に開示されているように周知事項なので、ここでは構成要素のみを簡単に説明する。
【００３０】
図５に於いて、４４は建物に設置された送信元制御装置７から図示しない通信手段を介してゲート通過情報ａを受け入れるゲートウェイ、４５は配信コンテンツ情報管理部、４６はコンテンツＤＢ、４７は個人情報ＤＢ、そして、４８はプッシュ配信コントローラである。配信サーバ８は、少なくともゲートウェイ４４、配信コンテンツ情報管理部４５、コンテンツＤＢ４６、個人情報ＤＢ４７、プッシュ配信コントローラ４８を備え、前記プッシュ配信コントローラ４８は、送信元制御手段７からゲート通過情報ａを受信すると、少なくとも帰宅情報の通知先である送信先端末装置１０にインターネット９を介してリアルタイムに該ゲート通過情報ａを垂れ流す（即時送信）。
【００３１】
なお、特に図示しないが、プッシュ配信コントローラ４８は、配信サーバ８が配信するプッシュ配信データ（当該ゲート通過情報）を配信するか否か判断する配信可否判断手段、該配信可否判断手段が配信ＯＫの判断をした場合に配信すべき送信先端末装置１０に即時配信するプッシュ配信通信部、プッシュ配信要求であるトリガー信号送信手段等を有し、サービスを受ける端末に対してリアルタイムに情報を配信サービスする機能を有している。
【００３２】
（５）送信先端末装置
図６は送信先端末装置１０の主な構成を示す概略説明図である。送信先端末装置１０は、スマートフォン、フィーチャーフォン等の携帯端末であり、例えば利用者（子供）４の母親１１が所持する。送信先端末装置１０としてのスマートフォンの具体的構成は周知事項なので、ここでは本発明の実施に必要な構成要素のみを説明する。
【００３３】
図６に於いて、５１はゲート通過情報ａを受信する受信手段、５２は受信した前記ゲート通過情報ａを蓄積する蓄積手段、５３は前記蓄積手段によって蓄積されたメッセージＤＢ、５４は前記メッセージＤＢに格納されている、受信時刻、送信元ユーザＩＤ（例えば子供の個別ＩＤ）、認証時刻、入室時刻（例えば専用ゲートの開扉時刻）、メッセージ用の文字情報、メッセージ用の識別図形（例えば子供の似顔絵）等のテーブル情報を適宜に組み合わせてインスタントメッセージ（図８）を生成するインスタントメッセージ生成手段、５６は前記インスタントメッセージ生成手段で生成されたインスタントメッセージをタッチパネル式表示画面に表示する表示手段である。したがって、実施形態の帰宅情報に関する専用アプリケーションＡＰは、前記蓄積手段５２とデータ領域である前記メッセージＤＢ５３と、前記インスタントメッセージ生成手段５４を含む。
【００３４】
（６）専用アプリケーション
図７は、送信先端末装置１０の専用アプリケーションＡＰの流れを示す説明図である。図７に於いて、６１はその中に専用アプリケーションＡＰを有する送信先端末装置１０の待受け画面、６２は着信を示す矩形状表示６２ａが一時的に現れる着信画面、６３は専用アプリケーションＡＰのアイコン６３ａが現れる立ち上げ画面である。実施形態では、前記アイコン６３ａにタッチ操作すると、作動中の専用アプリケーションＡＰのインスタントメッセージ生成手段５４が即時に起動６４し、図形（例えば子供の似顔絵）、帰宅日、帰宅時刻、メッセージ（ただいま）を含むインスタントメッセージ６５を生成する。生成されたインスタントメッセージ６５は、送信先端末装置１０の表示手段５６にプレゼン（一瞥できる情報）の如く現れる。
【００３５】
したがって、専用アプリケーションＡＰで表示される帰宅情報は、特許文献１、特許文献２等の如くメール通知の情報を表示画面に表示するものではない。なお、インスタントメッセージ生成手段５４がメッセージＤＢ５３を利用して生成する場合に於いて、実施形態では、母親１１がアイコン６３ａにタッチ操作した時点から遡って所定時間内（例えば６時間内、１２時間内など）の帰宅情報をインスタントメッセージ６５として生成し、かつ時間軸に沿って順次並列表示するが、前記時間の幅設定は適宜に変更し得る。
【００３６】
（７）第１実施形態のフローチャート
図９は第１実施形態のフローチャートを簡単に示す。このフローチャートは、下方に向かって時間が経過することを示している。まずステップＳ１は応答器３と質問器６との呼応である。実施形態では、応答器３が質問器６の電波領域に入り込むと両者の間で呼応が行われ、応答器３の個別ＩＤが電波に乗って質問器６に送信される。
【００３７】
次にステップＳ２は送信元制御手段７による認証である。質問器６を介して個別ＩＤを読取ると、送信元制御手段７は記憶手段３４に登録されている情報と照合して、その正当性を判別する。ステップＳ３は個別ＩＤの正当性を判定し、かつ、電気錠３９の解錠信号、専用ゲート２の開扉信号等を取得した後、自動送信手段３６によりゲート通過情報ａを生成して、配信サーバ８にゲート通過情報ａを送信する。
【００３８】
次にステップＳ４は、配信サーバ８が前記ゲート通過情報ａを受信すると、そのプッシュ配信コントローラ４８は、即時に当該ゲート通過情報ａを垂れ流す。すなわち、配信サーバ８は送信先端末装置１０にリアルタイムにゲート通過情報ａを送信する。
次にステップＳ５は、送信先端末装置１０が前記ゲート通過情報ａを受信すると、蓄積手段５２が専用アプリケーションＡＰのデータ領域（実施形態ではメッセージＤＢ）５３に次々と蓄積する。
【００３９】
次にステップＳ６は、例えば宅外の母親１１が所持している送信先端末装置１０の帰宅情報に関するアイコン６３ａに、母親１１の好きな時間に母親１１がタッチ操作したので、インスタントメッセージ生成手段５４が直ちにメッセージＤＢ５３を利用してインスタントメッセージ６５を生成する。そして、ステップＳ７は、前記インスタントメッセージ６５が表示手段（表示画面）５６に表示された。
【００４０】
以上のように、第１実施形態は、利用者４が所持する非接触情報記憶媒体３と、前記利用者４が居住する建物に設けられ、前記非接触情報記憶媒体３の個別ＩＤを、読取手段６を介して読取り、かつ個別ＩＤにゲートの通過時間を紐付してゲート通過情報ａを配信サーバ８に送信する送信元制御手段７と、前記配信サーバ８からインターネット９を介して前記ゲート通過情報ａを受信するスマートフォン、フィーチャーフォン等の送信先端末装置１０とから成る帰宅通知システムである。そして、本発明は、前述した所定のアプリケーションＡＰを有することに特徴がある。
【実施例】
【００４１】
次に、本発明の他の実施形態を説明する。なお、第２実施形態、第３実施形態等の説明に当って、第１実施形態と同一の部分には同一又は同様の符号を付して重複する説明を割愛する。
【００４２】
図１０は第２実施形態を示す全体構成を示す説明図、図１１は第２実施形態の表示手段（表示画面）に外出メッセージが表示された説明図である。この第２実施形態が第１実施形態と主に異なる事項は、第１実施形態が帰宅通知システムＸであるのに対して、外出通知システムＸ１である点、帰宅通知と外出通知を明確に区別するために、送信元制御手段７Ａの認証手段３２（図３等を援用）は、第１実施形態の如く、少なくとも利用者４の所持する個別ＩＤのみを認証（判定）するのではなく、必ず利用者４が専用ゲート２の通過したことを確認すること、その後、専用ゲート２から共用ゲート１を通過するまでの所定時間内に利用者４の所持する個別ＩＤを認証すること、送信先端末装置１０のアプリは、少なくとも外出情報に関する専用アプリケーションである点である。
【００４３】
したがって、第２実施形態の送信元制御手段７Ａは電気錠制御装置であり、該電気錠制御装置は、専用ゲート２に設けられた電気錠の施・解錠時間或いは専用ゲート２の開閉時間と、所定時間内に読取手段６で読取った個別ＩＤの応答時間とを比較して利用者４の通過する方向を判断し、前記個別ＩＤの応答時間が前記電気錠の施・解錠時間或いは専用ゲート２の開閉時間よりも後行する時、「外出情報」としてゲート通過情報ａを配信サーバ８に送信する。そして、前記配信サーバ８は、前記送信元制御手段７Ａから前記ゲート通過情報ａを受信すると、少なくとも外出情報の通知先である送信先端末装置１０にリアルタイムに該ゲート通過情報ａを垂れ流しするプッシュ配信コントローラ４８を有し、一方、前記送信先端末装置１０は、前記ゲート通過情報ａを受信すると、少なくとも外出情報に関する専用アプリケーションＡＰのデータ領域に当該ゲート通過情報を次々と蓄積する蓄積手段５２（図６等を援用）を有する。
【００４４】
第２実施形態の送信先端末装置１０の表示手段５６に現れるインスタントメッセージ６５は、図１１に示す通りであり、例えば「山田家、５／２１（水）、個別ＩＤに関連付けられた一郎とその似顔絵、行ってきますと１７：００、個別ＩＤに関連付けられた花子とその似顔絵、行ってきますと１７：０５」がプレゼンの如く表示される（一瞥できる）。
【００４５】
ところで、第１実施形態は帰宅通知システムＸであるのに対して、第２実施形態は外出通知システムＸ１なので、第３実施形態として、両者を組み合わせたシステムが考えられる。そこで、図１２に第１実施形態と第２実施形態を組み合わせた実施形態を示す。この第３実施形態では、送信先端末装置１０の中にあるアプリは、帰宅通知・外出通知アプリケーションである点が、第１実施形態又は第２実施形態と異なる。
【００４６】
最後に図１３乃至図１６は本発明の第４実施形態を示す各説明図である。（Ａ）第４実施形態の基本的な考え方は、次の通りである。すなわち、図１３乃至図１６で示す第４実施形態と第１実施形態とを比較すると、この通知システムも、第１実施形態と同様に「帰宅通知システムＸ」である点は同様であるが、情報取得手段（入口の部分）が、第１実施形態の如く、質問器と応答器の呼応によるのではなく、例えば建物の共用部の所定領域Ｄに含まれる建物のエントランス（共用ゲート１、通路５、専用ゲート２）、又は専用ゲート２の外壁面側に設けられた人検知手段７１、デジタルカメラ７２及び姿態情報送信手段７３を含む姿態情報取得手段６Ａにより、利用者４の画像情報を「個別ＩＤ」として得る点が相違する。
【００４７】
したがって、送信元制御手段７Ｃの制御部３１Ｃの認証手段３２Ｃは、画像記憶手段３４Ｃに登録されている画像の識別情報と姿態情報取得手段６Ａから取得した画像情報とを突き合わせて判定する。そして、前記認証手段３２Ｃから判定結果が出ると、タイマー３５がスタートすると共に、電気錠３９用又は／及び専用ゲート２用の制御部３１Ｃは、電気錠３９を解錠し、又は専用ゲート２が自動的に開くように制御する。（Ｂ）また、画像記憶部４の内容について、特に図示しないが、画像記憶手段３４Ｃのデータバッファには、姿態に関する識別情報（顔情報、姿情報等）が存在する。すなわち、家族を構成する利用者のＩＤ、氏名、男女の別、顔情報、姿情報、特徴点情報（特徴量）に関する要因コードが登録されている。図１６は第４実施形態のフローチャートであり、第１実施形態の図９についての説明を援用する。
【００４８】
なお、画像記憶手段３４Ｃのデータバッファの内容は、要因コード乃至要因コードから派生する派生コード等は前記に限定されない。また画像記憶手段３４Ｃには、第１実施形態と同様に専用ゲート２の識別番号、送信元制御手段７Ｃの識別番号等も記憶されている。さらに、特に図示しないが、この第４実施形態を第２実施形態に適用して、「外出通知システム」にすることもできる。
【産業上の利用可能性】
【００４９】
本発明は帰宅通知、外出通知等の通知システムとして利用することができる。
【符号の説明】
【００５０】
Ｘ…帰宅通知システム、Ｘ１…外出通知システム、
１…共用ゲート、２…専用ゲート、
３…非接触情報記憶媒体（応答器）、
４…利用者、５…通路、
６…読取手段（質問器）、
６Ａ…姿態情報取得手段、
７、７Ｃ…送信元制御手段、
ＡＰ…専用アプリケーション、ａ…ゲート通過情報、
８…配信サーバ、９…インターネット、
１０…送信先端末装置、１１…親、
３４…記憶手段、３４Ｃ…画像記憶手段、
４８…プッシュ配信コントローラ、
５２…蓄積手段、５３…データ領域（メッセージＤＢ）、
５４…インスタントメッセージ生成手段、
５６…表示手段、６５…インスタントメッセージ。
【図１】
0006378948.tif 000002
【図２】
0006378948.tif 000003
【図３】
0006378948.tif 000004
【図４】
0006378948.tif 000005
【図５】
0006378948.tif 000006
【図６】
0006378948.tif 000007
【図７】
0006378948.tif 000008
【図８】
0006378948.tif 000009
【図９】
0006378948.tif 000010
【図１０】
0006378948.tif 000011
【図１１】
0006378948.tif 000012
【図１２】
0006378948.tif 000013
【図１３】
0006378948.tif 000014
【図１４】
0006378948.tif 000015
【図１５】
0006378948.tif 000016
【図１６】
0006378948.tif 000017